(57)【要約】【課題】  １つの入力ポートから入力される画像信号に基づく画像が表示部に表示された状態で表示画像を切替えるときに、どのような画像に切替わるのかが事前に判った状態で入力ポートを切替えることができる情報処理装置を提供する。【解決手段】  制御部（５）によってディスプレイ部（１）に画像が表示された状態で、スケーラ部（４）は、受光部（１０）を介して入力ポートの切替指示が入力されると、複数の入力ポート（２１，２２，２３，２４）に入力されている各画像信号に基づく縮小画像（Ｍ１，Ｍ２，Ｍ３，Ｍ４）をそれぞれ生成する。そして、スケーラ部（４）は、各縮小画像（Ｍ１，Ｍ２，Ｍ３，Ｍ４）と、ディスプレイ部（１）に表示されている画像とを合成して合成画像を生成し、制御部（５）は、生成された合成画像をディスプレイ部（１）に表示させる。【選択図】      図１
2018185522.tif 000002
【特許請求の範囲】
【請求項１】
画像信号に基づく画像を表示する表示部と、
画像信号を出力する外部機器が接続されて、画像信号が入力される複数の入力ポートと、
任意の１つの入力ポートに入力された画像信号に基づく画像を、前記表示部に表示させる表示制御部と、を備え、
前記表示制御部は、前記入力ポートの切替えの指示がなされると、前記任意の入力ポートに入力された画像信号に基づく画像を静止画像として固定して所定時間表示後に、複数の入力ポートに入力された各画像信号に基づく画像の縮小画像を、前記任意の入力ポートに入力された画像信号に基づく画像に重畳表示させることを特徴とする情報処理装置。
【請求項２】
前記縮小画像生成部によって生成された全ての縮小画像を、前記任意の入力ポートに入力された画像信号に基づく画像に重ね合わせて合成して、合成画像を生成する合成画像生成部をさらに含み、
前記第２表示制御部は、前記合成画像生成部によって生成された、前記縮小画像生成部によって生成された全ての縮小画像が含まれる前記合成画像を、前記表示部に表示させることを特徴とする請求項１に記載の情報処理装置。
【請求項３】
前記縮小画像生成部は、前記入力ポート検出部によって検出されていない入力ポートについては、画像信号が未入力であることを表す未入力情報を含む、前記縮小画像と同じサイズの画像を、該入力ポートに対応付けて生成することを特徴とする請求項１または２に記載の情報処理装置。
【請求項４】
前記選択指示入力部は、前記表示部に重ねて配設されるタッチパネルであることを特徴とする請求項１〜３のいずれか１つに記載の情報処理装置。
【請求項５】
複数の入力ポートのいずれかに外部機器が接続されて画像信号が入力されたとき、該画像信号が入力された入力ポートを検出する入力ポート検出工程と、
前記入力ポート検出工程で複数の入力ポートが検出されたとき、該複数の入力ポートのうちの、任意の１つの入力ポートに入力された画像信号に基づく画像を、表示部に表示させる表示制御工程と、
前記表示部に表示された、前記任意の入力ポートに入力された画像信号に基づく画像を切替えるための切替え指示が入力される切替指示入力工程と、
前記切替え指示が入力されると、前記任意の入力ポートに入力された画像信号に基づく画像を静止画像として固定して所定時間表示する固定表示工程と、
複数の入力ポートに入力された各画像信号に基づく画像の縮小画像を、前記任意の入力ポートに入力された画像信号に基づく画像に重畳表示させる重畳表示工程と、を含むことを特徴とする情報処理方法。
【発明の詳細な説明】
【技術分野】
【０００１】
本発明は、複数の外部機器が接続されたときの表示画像の切替を管理することができる情報処理装置および情報処理方法に関する。
【背景技術】
【０００２】
各種の情報を提示するための情報機器として、表示ディスプレイを備える情報処理装置が用いられる。
【０００３】
情報処理装置は、パーソナルコンピュータなどにより実現される外部機器からの画像信号が入力される複数の入力ポートを有しており、たとえば、操作者によって予め設定されている入力ポートの優先順位に基づいて、優先順位の最も高い入力ポートに入力されている画像信号に応じた画像を、表示ディスプレイに表示するように構成されている（特許文献１参照）。
【０００４】
従来技術の情報処理装置は、表示ディスプレイに表示されている画像を切替える場合に、たとえば、キー操作や遠隔操作装置（リモコン）による操作によって、入力ポートを切替えるように構成されている。
【先行技術文献】
【特許文献】
【０００５】
【特許文献１】特開平１１−３０８４９５公報
【発明の概要】
【発明が解決しようとする課題】
【０００６】
１つの入力ポートから入力される画像信号に基づく画像が表示ディスプレイに表示された状態で、表示画像を切替えるために操作者が入力ポートを切替える場合、従来技術の情報処理装置では、キー操作や遠隔操作装置（リモコン）による操作によって、入力ポートを切替えるので、どのような画像に切替わるのかが判らないまま、入力ポートが切替えられることになる。
【０００７】
本発明の目的は、外部機器からの画像信号が入力される複数の入力ポートを有する情報処理装置において、１つの入力ポートから入力される画像信号に基づく画像が表示部に表示された状態で、該表示部に表示されている表示画像を切替えるときに、どのような画像に切替わるのかが事前に判った状態で入力ポートを切替えることができる情報処理装置および情報処理方法を提供することである。
【課題を解決するための手段】
【０００８】
本発明は、画像信号に基づく画像を表示する表示部と、
画像信号を出力する外部機器が接続されて、画像信号が入力される複数の入力ポートと、
前記複数の入力ポートのいずれかに外部機器が接続されて画像信号が入力されたとき、該画像信号が入力された入力ポートを検出する入力ポート検出部と、
前記入力ポート検出部によって複数の入力ポートが検出されたとき、該複数の入力ポートのうちの、任意の１つの入力ポートに入力された画像信号に基づく画像を、前記表示部に表示させる第１表示制御部と、
前記表示部に表示された、前記任意の入力ポートに入力された画像信号に基づく画像を切替えるための切替指示が入力される切替指示入力部と、前記任意の入力ポートに入力さ
れた画像信号に基づく画像が前記表示部に表示されているときに、前記入力ポート検出部によって検出された複数の入力ポートに入力された各画像信号に基づく画像の縮小画像を、各入力ポートに対応付けてそれぞれ生成する縮小画像生成部と、
前記縮小画像生成部によって生成された縮小画像を、前記表示部に表示させる第２表示制御部と、
前記表示部に表示された各縮小画像のうちの１つの縮小画像を選択する指示が入力される選択指示入力部と、
前記選択指示入力部に１つの縮小画像を選択する指示が入力されると、選択された縮小画像に対応する入力ポートに入力された画像信号に基づく画像を、前記表示部に表示させる第３表示制御部と、を含むことを特徴とする情報処理装置である。
【０００９】
また本発明の情報処理装置は、前記縮小画像生成部によって生成された全ての縮小画像を、前記任意の入力ポートに入力された画像信号に基づく画像に重ね合わせて合成して、合成画像を生成する合成画像生成部をさらに含み、
前記第２表示制御部は、前記合成画像生成部によって生成された、前記縮小画像生成部によって生成された全ての縮小画像が含まれる前記合成画像を、前記表示部に表示させることを特徴とする。
【００１０】
また本発明の情報処理装置において、前記縮小画像生成部は、前記入力ポート検出部によって検出されていない入力ポートについては、画像信号が未入力であることを表す未入力情報を含む、前記縮小画像と同じサイズの画像を、該入力ポートに対応付けて生成することを特徴とする。
【００１１】
また本発明の情報処理装置において、前記選択指示入力部は、前記表示部に重ねて配設されるタッチパネルであることを特徴とする。
【００１２】
また本発明は、複数の入力ポートのいずれかに外部機器が接続されて画像信号が入力されたとき、該画像信号が入力された入力ポートを検出する入力ポート検出工程と、
前記入力ポート検出工程で複数の入力ポートが検出されたとき、該複数の入力ポートのうちの、任意の１つの入力ポートに入力された画像信号に基づく画像を、表示部に表示させる第１表示制御工程と、
前記表示部に表示された、前記任意の入力ポートに入力された画像信号に基づく画像を切替えるための切替指示が入力される切替指示入力工程と、
前記任意の入力ポートに入力された画像信号に基づく画像が前記表示部に表示されているときに、前記入力ポート検出工程で検出された複数の入力ポートに入力された各画像信号に基づく画像の縮小画像を、各入力ポートに対応付けてそれぞれ生成する縮小画像生成工程と、
前記縮小画像生成工程で生成された縮小画像を、前記表示部に表示させる第２表示制御工程と、
前記表示部に表示された各縮小画像のうちの１つの縮小画像を選択する指示が入力される選択指示入力工程と、
前記選択指示入力工程で１つの縮小画像を選択する指示が入力されると、選択された縮小画像に対応する入力ポートに入力された画像信号に基づく画像を、前記表示部に表示させる第３表示制御工程と、を含むことを特徴とする情報処理方法である。
【発明の効果】
【００１３】
本発明によれば、情報処理装置において第１表示制御部は、複数の入力ポートのうちの任意の１つの入力ポート（第１の入力ポート）に入力された画像信号に基づく画像を、表示部に表示させる。この第１表示制御部によって第１の入力ポートに対応した画像が表示部に表示された状態で、縮小画像生成部は、複数の入力ポートに入力された各画像信号に
基づく縮小画像を、各入力ポートに対応付けてそれぞれ生成する。そして、第２表示制御部が、縮小画像生成部によって生成された縮小画像を表示部に表示させる。
【００１４】
さらに、情報処理装置において、選択指示入力部は、第２表示制御部によって表示部に表示された各縮小画像のうちの１つの縮小画像を選択する指示が入力される。そして、第３表示制御部は、選択指示入力部からの選択指示によって選択された縮小画像に対応する入力ポート（第２の入力ポート）に入力された画像信号に基づく画像を、表示部に表示させる。
【００１５】
上記のように構成される本発明の情報処理装置では、第１表示制御部によって１つの入力ポート（第１の入力ポート）から入力される画像信号に基づく画像が表示部に表示された状態で、該表示部に表示されている第１の入力ポートに対応する画像を切替えるときに、操作者は、第２表示制御部によって表示部に表示された、各入力ポートに対応する各縮小画像に基づいて、切替えるべき画像に対応する入力ポートの選択指示を入力することができるので、どのような画像に切替わるのかが縮小画像によって事前に判った状態で、入力ポートを切替えることができる。
【００１６】
また本発明によれば、情報処理方法において第１表示制御工程では、複数の入力ポートのうちの任意の１つの入力ポート（第１の入力ポート）に入力された画像信号に基づく画像を、表示部に表示させる。この第１表示制御工程において第１の入力ポートに対応した画像が表示部に表示された状態で、縮小画像生成工程では、複数の入力ポートに入力された各画像信号に基づく縮小画像を、各入力ポートに対応付けてそれぞれ生成する。そして、第２表示制御工程では、縮小画像生成工程で生成された縮小画像を表示部に表示させる。
【００１７】
さらに、情報処理方法において、選択指示入力工程では、第２表示制御工程で表示部に表示された各縮小画像のうちの１つの縮小画像を選択する指示が入力される。そして、第３表示制御工程では、選択指示入力工程における選択指示によって選択された縮小画像に対応する入力ポート（第２の入力ポート）に入力された画像信号に基づく画像を、表示部に表示させる。
【００１８】
上記のように構成される本発明の情報処理方法では、第１表示制御工程において１つの入力ポート（第１の入力ポート）から入力される画像信号に基づく画像が表示部に表示された状態で、該表示部に表示されている第１の入力ポートに対応する画像を切替えるときに、操作者は、第２表示制御工程において表示部に表示された、各入力ポートに対応する各縮小画像に基づいて、切替えるべき画像に対応する入力ポートの選択指示を入力することができるので、どのような画像に切替わるのかが縮小画像によって事前に判った状態で、入力ポートを切替えることができる。
【図面の簡単な説明】
【００１９】
【図１】本発明の一実施形態に係る情報処理装置１００の構成を示すブロック図である。
【図２】本発明の一実施形態に係る情報処理方法が適用された情報処理装置１００の動作を示すフローチャートである。
【図３Ａ】情報処理装置１００の動作の一例を説明するための図である。
【図３Ｂ】情報処理装置１００の動作の一例を説明するための図である。
【図３Ｃ】情報処理装置１００の動作の一例を説明するための図である。
【図３Ｄ】情報処理装置１００の動作の一例を説明するための図である。
【図４Ａ】情報処理装置１００の動作の他の例を説明するための図である。
【図４Ｂ】情報処理装置１００の動作の他の例を説明するための図である。
【図４Ｃ】情報処理装置１００の動作の他の例を説明するための図である。
【図４Ｄ】情報処理装置１００の動作の他の例を説明するための図である。
【発明を実施するための形態】
【００２０】
（第１実施形態）
図１は、本発明の一実施形態に係る情報処理装置１００の構成を示すブロック図である。情報処理装置１００は、画像を表示可能に構成されるものであり、たとえば、会議やビジネスプレゼンテーション、教育、研修などにおいて複数人の視聴者を対象に各種の情報を提示するときに用いられ、電子ホワイトボードまたは電子黒板に代表されるディスプレイや、広告や宣伝、案内板に用いられるパブリックディスプレイと称される、大型の表示ディスプレイを備える表示装置である。
【００２１】
情報処理装置１００は、表示部として機能するディスプレイ部１と、画像信号入力部として機能する入力部２と、入力ポート検出部としての機能を有する入力切替部３と、縮小画像生成部および合成画像生成部として機能するスケーラ部４と、第１〜第３表示制御部として機能する制御部５と、バックライト部６と、電源ユニット７と、ＤＣ−ＤＣ部８と、外部接続ＩＦ部９と、切替指示入力部として機能する受光部１０と、記憶部として機能する不揮発性メモリ部１１と、揮発性メモリ部１２と、画像メモリ部１３と、計時部１４と、温度検出部１５とを含んで構成される。
【００２２】
ディスプレイ部１は、液晶パネルおよびバックライトを備える液晶ディスプレイや、有機ＥＬ（Electro-Luminescence）ディスプレイなどによって実現され、本実施形態では、バックライト部６を備える液晶ディスプレイである。このディスプレイ部１は、画像信号に基づく画像を表示する処理を実行するように構成される。なお、ディスプレイ部１には、画像を表示する表示面に、選択指示入力部として機能するタッチパネル１ａが重ねられて設けられている。タッチパネル１ａとしては、赤外線遮断方式、抵抗膜方式、表面型静電容量方式、投影型静電容量方式、超音波表面弾性波方式、音響パルス認識方式、振動検出方式、電磁誘導方式、画像認識方式、あるいは光センサ内蔵ＬＣＤ方式のタッチパネル１ａを用いることができる。また、たとえば、ディスプレイ部１の表示面上に、操作者のタッチ操作を検出するためのタッチパネル１ａを取り付けたオーバーレイ構造であってもよく、タッチパネル１ａをディスプレイ部１と一体化させた構造であってもよい。
【００２３】
バックライト部６は、ディスプレイ部１に表示面とは反対側の背面側から光を照射する部分であり、本実施形態では光源として発光ダイオード（ＬＥＤ）が用いられている。
【００２４】
入力部２は、パーソナルコンピュータなどによって実現される外部機器からの画像信号が入力される複数（本実施形態では４つ）の入力ポート２１，２２，２３，２４を有する。
【００２５】
入力切替部３は、複数の入力ポート２１，２２，２３，２４のいずれかに画像信号が入力されたとき、該画像信号が入力された入力ポートの入力を検出するとともに、ディスプレイ部１に表示される画像を切替えるための、画像信号が入力される入力ポート２１，２２，２３，２４を切替える。また、本実施形態では、入力切替部３は、後述のスケーラ部４において入力切替サムネイル画像が生成されるときに、入力ポート２１，２２，２３，２４の選択切替も実行する。
【００２６】
制御部５は、後述のスケーラ部４の処理動作を制御するとともに、ディスプレイ部１によって実行される画像を表示する処理を含む、情報処理装置１００において実行される各種処理を監視する。制御部５は、たとえば、中央演算処理装置（ＣＰＵ：Central Processing Unit）を備えるマイクロコンピュータ、マイクロプロセッサなどによって実現され
る処理回路である。本実施形態では、制御部５は、ディスプレイ部１、入力切替部３、スケーラ部４、バックライト部６、電源ユニット７、ＤＣ−ＤＣ部８、受光部１０、計時部１４、および温度検出部１５によって実行される処理を監視する。
【００２７】
不揮発性メモリ部１１は、ＥＥＰＲＯＭ（Electrically Erasable Programmable Read Only Memory）（登録商標）などのフラッシュメモリによって実現される。不揮発性メモ
リ部１１には、情報処理装置１００の基本的な機能を実現するオペレーティングシステム（ＯＳ：Operating System）プログラムが記憶されるとともに、種々のアプリケーションプログラムが記憶される。また、不揮発性メモリ部１１には、操作者によって予め設定される入力ポート２１，２２，２３，２４の優先順位を表す優先順位情報が記憶される。また、不揮発性メモリ部１１には、制御部５によって監視される複数の処理がそれぞれ実行される都度、実行された処理の内容を示す処理内容情報と、その処理が実行された時刻を示す時刻情報とが関連付けられたログ情報が記憶される。
【００２８】
揮発性メモリ部１２は、ＳＲＡＭなどによって実現され、情報処理装置１００によって実行された処理内容が、一時的に記憶される。
【００２９】
画像メモリ部１３は、後述のスケーラ部４によって生成された画像データ（サムネイル画像データ、合成画像データなど）を記憶する。この画像メモリ部１３に記憶される画像データは、ＦＲＣ（Frame Rate Conversion）などに使用される。
【００３０】
電源ユニット７は、情報処理装置１００が動作するために必要な電源電圧を供給する。また、ＤＣ−ＤＣ部８は、情報処理装置１００が動作するために必要な電源電圧を、電源ユニット７を介して生成する。
【００３１】
温度検出部１５は、情報処理装置１００の温度を検出する。また、計時部１４は、操作者によって予め設定された時間をカウントダウン方式で計時する。
【００３２】
受光部１０は、入力ポート２１，２２，２３，２４の切替指示、ＤＣ−ＤＣ部８による電源生成動作、ディスプレイ部１による画像表示動作、モード設定などの切替えを遠隔操作する遠隔操作機器（リモコン送信機など）から発信される赤外線（ＩＲ）を受光する。操作者は、遠隔操作機器を用いて、入力ポート２１，２２，２３，２４の切替指示を入力することができる。
【００３３】
外部接続ＩＦ部９は、ＵＳＢ（Universal Serial Bus）やＲＳ−２３２Ｃ（Recommended Standard 232 version C）に準じたシリアル通信方式の外部接続インターフェースや、ＬＡＮ（Local Area Network）などのデータをやり取りするネットワークに接続できるインターフェースである。情報処理装置１００は、この外部接続ＩＦ部９を介して、ＰＣ（Personal Computer）などの外部機器とデータ通信可能に接続することができる。
【００３４】
スケーラ部４は、画像処理部として機能する部分であり、制御部５に制御されて、ディスプレイ部１に表示される画像に対する画像補正処理、カラー補正処理、ガンマ（γ）補正処理、倍速処理、ＯＳＤ（On-Screen Display）重畳処理などを実行する。
【００３５】
また、本実施形態では、スケーラ部４は、縮小画像生成部および合成画像生成部として機能する。具体的には、制御部５が、不揮発性メモリ部１１に記憶されている、入力ポート２１，２２，２３，２４の優先順位情報で示される優先順位の最も高い入力ポート（第１の入力ポート）に入力されている画像信号に基づく画像（第１の画像）を、ディスプレイ部１に表示させている状態で、受光部１０を介して入力ポートの切替指示が入力されると、スケーラ部４は、各入力ポート２１，２２，２３，２４に入力されている画像信号に
基づく縮小画像（サムネイル画像）をそれぞれ生成し、全ての入力ポート２１，２２，２３，２４に対応するサムネイル画像を全て含む入力切替サムネイル画像を生成する。なお、スケーラ部４は、各入力ポート２１，２２，２３，２４に入力されている画像信号を所定割合で間引きし、所定サイズに縮小されたサムネイル画像を生成する。また、スケーラ部４によって生成される各サムネイル画像は、各入力ポート２１，２２，２３，２４に関連付けられている。
【００３６】
また、スケーラ部４は、生成した入力切替サムネイル画像を、制御部５によって既にディスプレイ部１に表示されている画像（第１の画像）に重ね合わせて合成して、合成画像を生成する。このようにしてスケーラ部４によって合成画像が生成されると、制御部５は、該合成画像をディスプレイ部１に表示させる。
【００３７】
本実施形態では、制御部５によってディスプレイ部１に表示された合成画像に含まれる、入力ポート２１，２２，２３，２４にそれぞれ対応するサムネイル画像に対して、タッチパネル１ａを介して、切替えるべき入力ポート（第２の入力ポート）２１，２２，２３，２４の選択指示が入力されると、制御部５は、該選択指示に対応した入力ポート２１，２２，２３，２４に入力されている画像信号に基づく画像（第２の画像）を、ディスプレイ部１に表示させる。
【００３８】
（第２実施形態）
第２実施形態に係る情報処理装置１００では、ディスプレイ部１に画像（第１の画像）が表示されている状態で、受光部１０を介して入力ポートの切替指示が入力されると、スケーラ部４は、ディスプレイ部１に表示されている画像に対応する入力ポート以外の各入力ポート２１，２２，２３，２４に入力されている画像信号に基づくサムネイル画像をそれぞれ生成し、ディスプレイ部１に表示されている画像に対応する入力ポート以外の入力ポート２１，２２，２３，２４に対応するサムネイル画像を含む入力切替サムネイル画像を生成するように構成されていてもよい。
【００３９】
（第３実施形態）
また、第３実施形態に係る情報処理装置１００では、スケーラ部４は、画像信号が入力されていない入力ポートについては、画像信号が未入力であることを示す未入力情報（たとえば、「Ｎｏ  Ｓｉｇｎａｌ」などの文字情報）を含む、前記縮小画像（サムネイル画像）と同じサイズの画像を生成するように構成されていてもよい。
【００４０】
次に、本実施形態の情報処理装置１００の動作について、説明する。図２は、本発明の一実施形態に係る情報処理方法が適用された情報処理装置１００の動作を示すフローチャートである。図３Ａ〜図３Ｄは、情報処理装置１００の動作の一例を説明するための図である。
【００４１】
以下では、情報処理装置１００に備えられる４つの入力ポート２１，２２，２３，２４に、それぞれ、外部機器Ｐ１，Ｐ２，Ｐ３，Ｐ４が接続されているものとする。これによって、入力ポート２１には外部機器Ｐ１から送信される画像信号が入力され、入力ポート２２には外部機器Ｐ２から送信される画像信号が入力され、入力ポート２３には外部機器Ｐ３から送信される画像信号が入力され、入力ポート２４には外部機器Ｐ４から送信される画像信号が入力されている。
【００４２】
制御部５が、不揮発性メモリ部１１に記憶されている、入力ポート２１，２２，２３，２４の優先順位情報で示される優先順位の最も高い入力ポート（第１の入力ポート）に入力されている画像信号に基づく画像（第１の画像）を、ディスプレイ部１に表示させている（第１表示制御工程）状態で、入力ポートの切替動作が開始される。制御部５が、図３
Ａに示すように、入力ポート２１に入力されている画像信号に基づく画像（第１の画像）を、ディスプレイ部１に表示させているとする。
【００４３】
ステップｓ１では、制御部５は、受光部１０を介して入力ポート２１，２２，２３，２４の切替指示が入力されたか否かを判定する（切替指示入力工程）。入力ポートの切替指示が入力されたと判定された場合にはステップｓ２に進み、入力ポートの切替指示が入力されていないと判定された場合にはステップｓ１を繰り返す。
【００４４】
ステップｓ２では、制御部５は、ディスプレイ部１に入力切替サムネイル画像が表示されているか否かを判定する。ディスプレイ部１に入力切替サムネイル画像が表示されていると判定された場合にはステップｓ３に進み、ディスプレイ部１に入力切替サムネイル画像が表示されていないと判定された場合にはステップｓ４に進む。
【００４５】
ステップｓ３では、制御部５は、スケーラ部４を制御し、ディスプレイ部１に表示されている入力切替サムネイル画像を消去させる。このようにして、ディスプレイ部１に表示されている入力切替サムネイル画像が消去されると、ステップｓ１に戻る。
【００４６】
ステップｓ４では、制御部５は、サムネイル画像生成処理を実行する（縮小画像生成工程）。制御部５によって実行されるサムネイル画像生成処理は、ステップｓ４１〜ステップｓ４５を含む。ステップｓ４１では、制御部５は、ディスプレイ部１に表示されている画像をフリーズさせる（静止画像にする）。
【００４７】
次にステップｓ４２では、制御部５は、入力切替部３を制御して、複数の入力ポート２１，２２，２３，２４のうちの１つの入力ポートを選択させる。たとえば、制御部５は、入力切替部３を制御して、入力ポート２１を選択させる。次にステップｓ４３では、制御部５は、スケーラ部４を制御して、ステップｓ４２において入力切替部３が選択した入力ポート２１に入力されている画像信号に基づく縮小画像（サムネイル画像）Ｍ１を生成させる。次にステップｓ４４では、制御部５は、スケーラ部４によって生成されたサムネイル画像Ｍ１を、画像メモリ部１３に記憶させる。
【００４８】
制御部５は、入力切替部３、スケーラ部４および画像メモリ部１３を制御して、上記のステップｓ４２〜ステップｓ４４を繰り返して実行し、複数の入力ポート２１，２２，２３，２４の全てについて、各入力ポートにそれぞれ対応するサムネイル画像Ｍ１，Ｍ２，Ｍ３，Ｍ４をスケーラ部４に生成させて、生成されたサムネイル画像Ｍ１，Ｍ２，Ｍ３，Ｍ４を、画像メモリ部１３に記憶させる。
【００４９】
次にステップｓ４５では、制御部５は、スケーラ部４を制御して、画像メモリ部１３に記憶された、全ての入力ポート２１，２２，２３，２４にそれぞれ対応するサムネイル画像Ｍ１，Ｍ２，Ｍ３，Ｍ４と、ディスプレイ部１に表示されている入力ポート２１に対応する画像（第１の画像）とを合成させて、入力切替サムネイル画像Ｍが合成された合成画像を生成させる。
【００５０】
上記のように、ステップｓ４１〜ステップｓ４５を含むサムネイル画像生成処理が終了すると、ステップｓ５では、図３Ｂに示すように、制御部５は、ディスプレイ部１のフリーズ状態を解除して、スケーラ部４によって生成された、各入力ポート２１，２２，２３，２４にそれぞれ対応するサムネイル画像Ｍ１，Ｍ２，Ｍ３，Ｍ４を含む入力切替サムネイル画像Ｍが合成された合成画像を、ディスプレイ部１に表示させる（第２表示制御工程）。
【００５１】
なお、ステップｓ４３において、スケーラ部４が、画像信号が入力されていない入力ポ
ートについて、画像信号が未入力であることを示す未入力情報を含むサムネイル画像を生成した場合には、制御部５は、図３Ｃに示すように、画像信号が未入力の入力ポート２４に対応して「Ｎｏ  Ｓｉｇｎａｌ」文字から成る未入力情報を含むサムネイル画像Ｍ４が合成された合成画像を、ディスプレイ部１に表示させることになる。
【００５２】
なお、図３Ｂおよび図３Ｃには、ディスプレイ部１の矩形状の表示面に対して、長辺方向に延びる横長の入力切替サムネイル画像Ｍが表示されている例を示しているが、この例に限定されるものではなく、表示面の短辺方向に延びる縦長の入力切替サムネイル画像Ｍが表示されるようにしてもよい。
【００５３】
次にステップｓ６では、制御部５は、計時部１４にタイマーセット（たとえば、５秒）させる。次にステップｓ７では、制御部５は、ディスプレイ部１に表示されている合成画像に含まれる入力切替サムネイル画像Ｍの各サムネイル画像Ｍ１，Ｍ２，Ｍ３，Ｍ４に基づいて、タッチパネル１ａを介して、切替えるべき画像（第２の画像）に対応する入力ポート（第２の入力ポート）２１，２２，２３，２４の選択指示が入力されたか否かを判定する（選択指示入力工程）。選択指示が入力されたと判定された場合にはステップｓ８に進み、選択指示が入力されていないと判定された場合にはステップｓ９に進む。
【００５４】
ステップｓ８では、制御部５は、図３Ｄに示すように、タッチパネル１ａを介して入力された前記選択指示に対応した入力ポート（図３Ｄに示す例では入力ポート２３）に入力されている画像（第２の画像）を、ディスプレイ部１に表示させて、ディスプレイ部１に表示される画像の切替動作を実施する（第３表示制御工程）。
【００５５】
ステップｓ９では、制御部５は、計時部１４によって計時される時間が「タイマー＝０」に到達したか否かを判定する。「タイマー＝０」に到達したと判定された場合にはステップｓ１０に進み、「タイマー＝０」に到達していないと判定された場合にはステップｓ７に戻る。
【００５６】
ステップｓ１０では、制御部５は、ディスプレイ部１に表示されている合成画像に含まれる入力切替サムネイル画像Ｍを消去し、ステップｓ１に処理動作を戻す。
【００５７】
上記のように構成される本実施形態の情報処理装置１００では、制御部５によって１つの入力ポート（たとえば、入力ポート２１）から入力される画像信号に基づく画像（第１の画像）がディスプレイ部１に表示された状態で、該ディスプレイ部１に表示されている画像（第１の画像）を切替えるときに、操作者は、制御部５によってディスプレイ部１に表示された合成画像に含まれる、各入力ポート２１，２２，２３，２４に対応する全てのサムネイル画像Ｍ１，Ｍ２，Ｍ３，Ｍ４に基づいて、切替えるべき画像（第２の画像）に対応する入力ポート（たとえば、入力ポート２３）の選択指示を、タッチパネル１ａを介して入力することができるので、どのような画像に切替わるのかがサムネイル画像Ｍ１，Ｍ２，Ｍ３，Ｍ４によって事前に判った状態で、入力ポートを切替えることができる。
【００５８】
なお、情報処理装置１００の動作について、図３Ａ〜図３Ｄを用いた前述の説明では、制御部５に制御されたスケーラ部４は、ディスプレイ部１に画像（第１の画像）が表示されている状態で、受光部１０を介して入力ポートの切替指示が入力されると、全ての入力ポート２１，２２，２３，２４に対応したサムネイル画像Ｍ１，Ｍ２，Ｍ３，Ｍ４を生成するように構成されていたが、この構成に限定されるものではない。
【００５９】
図４Ａ〜図４Ｄは、第２実施形態に対応する情報処理装置１００の動作の他の例を説明するための図である。情報処理装置１００の動作の他の例では、スケーラ部４は、ディスプレイ部１に画像（第１の画像）が表示されている（第１表示制御工程）状態で、受光部
１０を介して入力ポートの切替指示が入力される（切替指示入力工程）と、ディスプレイ部１に表示されている画像（第１の画像）に対応する入力ポート以外の各入力ポート２１，２２，２３，２４に入力されている画像信号に基づくサムネイル画像をそれぞれ生成（縮小画像生成工程）し、ディスプレイ部１に表示されている画像に対応する入力ポート以外の入力ポート２１，２２，２３，２４に対応するサムネイル画像を含む入力切替サムネイル画像を生成するように構成されている。このようにスケーラ部４が構成されている場合の情報処理装置１００の動作を、図２のフローチャートを用いて具体的に説明する。
【００６０】
制御部５が、図４Ａに示すように、入力ポート２１に入力されている画像信号に基づく画像（第１の画像）を、ディスプレイ部１に表示させているとする。
【００６１】
ステップｓ１では、制御部５は、受光部１０を介して入力ポート２１，２２，２３，２４の切替指示が入力されたか否かを判定する（切替指示入力工程）。入力ポートの切替指示が入力されたと判定された場合にはステップｓ２に進み、入力ポートの切替指示が入力されていないと判定された場合にはステップｓ１を繰り返す。
【００６２】
ステップｓ２では、制御部５は、ディスプレイ部１に入力切替サムネイル画像が表示されているか否かを判定する。ディスプレイ部１に入力切替サムネイル画像が表示されていると判定された場合にはステップｓ３に進み、ディスプレイ部１に入力切替サムネイル画像が表示されていないと判定された場合にはステップｓ４に進む。
【００６３】
ステップｓ３では、制御部５は、スケーラ部４を制御し、ディスプレイ部１に表示されている入力切替サムネイル画像を消去させる。このようにして、ディスプレイ部１に表示されている入力切替サムネイル画像が消去されると、ステップｓ１に戻る。
【００６４】
ステップｓ４では、制御部５は、サムネイル画像生成処理を実行する（縮小画像生成工程）。図４Ａ〜図４Ｄに示される情報処理装置１００の動作の例では、このサムネイル画像生成処理が、前述の図３Ａ〜図３Ｄに示される情報処理装置１００の動作の例とは異なる。制御部５によって実行されるサムネイル画像生成処理は、ステップｓ４１〜ステップｓ４５を含む。ステップｓ４１では、制御部５は、ディスプレイ部１に表示されている画像をフリーズさせる（静止画像にする）。
【００６５】
次にステップｓ４２では、制御部５は、入力切替部３を制御して、複数の入力ポート２１，２２，２３，２４のうちの１つの入力ポートを選択させる。たとえば、制御部５は、入力切替部３を制御して、ディスプレイ部１に表示されている画像（第１の画像）に対応する入力ポート２１以外の各入力ポート２２，２３，２４のうちの１つの入力ポート（たとえば、入力ポート２２）を選択させる。次にステップｓ４３では、制御部５は、スケーラ部４を制御して、ステップｓ４２において入力切替部３が選択した入力ポート２２に入力されている画像信号に基づく縮小画像（サムネイル画像）Ｍ２を生成させる。次にステップｓ４４では、制御部５は、スケーラ部４によって生成されたサムネイル画像Ｍ２を、画像メモリ部１３に記憶させる。
【００６６】
制御部５は、入力切替部３、スケーラ部４および画像メモリ部１３を制御して、上記のステップｓ４２〜ステップｓ４４を繰り返して実行し、複数の入力ポート２１，２２，２３，２４のうち、ディスプレイ部１に表示されている画像（第１の画像）に対応する入力ポート２１以外の全てについて、各入力ポートにそれぞれ対応するサムネイル画像Ｍ２，Ｍ３，Ｍ４をスケーラ部４に生成させて、生成されたサムネイル画像Ｍ２，Ｍ３，Ｍ４を、画像メモリ部１３に記憶させる。
【００６７】
次にステップｓ４５では、制御部５は、スケーラ部４を制御して、画像メモリ部１３に
記憶された、全ての入力ポート２２，２３，２４にそれぞれ対応するサムネイル画像Ｍ２，Ｍ３，Ｍ４と、ディスプレイ部１に表示されている入力ポート２１に対応する画像とを合成させて、入力切替サムネイル画像Ｍが合成された合成画像を生成させる。
【００６８】
上記のように、ステップｓ４１〜ステップｓ４５を含むサムネイル画像生成処理が終了すると、ステップｓ５では、図４Ｂに示すように、制御部５は、ディスプレイ部１のフリーズ状態を解除して、スケーラ部４によって生成された、各入力ポート２２，２３，２４にそれぞれ対応するサムネイル画像Ｍ２，Ｍ３，Ｍ４を含む入力切替サムネイル画像Ｍが合成された合成画像を、ディスプレイ部１に表示させる（第２表示制御工程）。
【００６９】
なお、ステップｓ４３において、スケーラ部４が、画像信号が入力されていない入力ポートについて、画像信号が未入力であることを示す未入力情報を含むサムネイル画像を生成した場合には、制御部５は、図４Ｃに示すように、画像信号が未入力の入力ポート２４に対応して「Ｎｏ  Ｓｉｇｎａｌ」文字から成る未入力情報を含むサムネイル画像Ｍ４が合成された合成画像を、ディスプレイ部１に表示させることになる。
【００７０】
次にステップｓ６では、制御部５は、計時部１４にタイマーセット（たとえば、５秒）させる。次にステップｓ７では、制御部５は、ディスプレイ部１に表示されている合成画像に含まれる入力切替サムネイル画像Ｍの各サムネイル画像Ｍ２，Ｍ３，Ｍ４に基づいて、タッチパネル１ａを介して、切替えるべき画像（第２の画像）に対応する入力ポート２２，２３，２４の選択指示が入力されたか否かを判定する（選択指示入力工程）。選択指示が入力されたと判定された場合にはステップｓ８に進み、選択指示が入力されていないと判定された場合にはステップｓ９に進む。
【００７１】
ステップｓ８では、制御部５は、図４Ｄに示すように、タッチパネル１ａを介して入力された前記選択指示に対応した入力ポート（図４Ｄに示す例では入力ポート２３）に入力されている画像（第２の画像）を、ディスプレイ部１に表示させて、ディスプレイ部１に表示される画像の切替動作を実施する（第３表示制御工程）。
【００７２】
ステップｓ９では、制御部５は、計時部１４によって計時される時間が「タイマー＝０」に到達したか否かを判定する。「タイマー＝０」に到達したと判定された場合にはステップｓ１０に進み、「タイマー＝０」に到達していないと判定された場合にはステップｓ７に戻る。
【００７３】
ステップｓ１０では、制御部５は、ディスプレイ部１に表示されている合成画像に含まれる入力切替サムネイル画像Ｍを消去し、ステップｓ１に処理動作を戻す。
【００７４】
上記のように構成される本実施形態の情報処理装置１００では、制御部５によって１つの入力ポート（たとえば、入力ポート２１）から入力される画像信号に基づく画像（第１の画像）がディスプレイ部１に表示された状態で、該ディスプレイ部１に表示されている画像（第１の画像）を切替えるときに、操作者は、制御部５によってディスプレイ部１に表示された合成画像に含まれる、ディスプレイ部１に表示されている画像（第１の画像）に対応する入力ポート２１以外の各入力ポート２２，２３，２４に対応する全てのサムネイル画像Ｍ２，Ｍ３，Ｍ４に基づいて、切替えるべき画像（第２の画像）に対応する入力ポート（たとえば、入力ポート２３）の選択指示を、タッチパネル１ａを介して入力することができるので、どのような画像に切替わるのかがサムネイル画像Ｍ２，Ｍ３，Ｍ４によって事前に判った状態で、入力ポートを切替えることができる。
【００７５】
（第４実施形態）
上記の実施形態に係る情報処理装置１００では、サムネイル画像生成処理におけるステ
ップｓ４１において、制御部５は、ディスプレイ部１に表示されている画像をフリーズさせて静止画像にした状態で、サムネイル画像生成処理を開始するように構成されていたが、この構成に限定されるものではない。第４実施形態に係る情報処理装置１００では、入力ポート２１，２２，２３，２４から入力される画像信号が、動画を示す信号である場合には、制御部５は、ディスプレイ部１に表示されている動画像をフリーズさせることなく、動画像の状態で、サムネイル画像生成処理を開始するように構成されていてもよい。
【符号の説明】
【００７６】
１  ディスプレイ部
２  入力部
３  入力切替部
４  スケーラ部
５  制御部
６  バックライト部
７  電源ユニット
８  ＤＣ−ＤＣ部
９  外部接続ＩＦ部
１０受光部
１１  不揮発性メモリ部
１２  揮発性メモリ部
１３  画像メモリ部
１４  計時部
１５  温度検出部
２１，２２，２３，２４  入力ポート
１００  情報処理装置
【図１】
2018185522.tif 000003
【図２】
2018185522.tif 000004
【図３Ａ】
2018185522.tif 000005
【図３Ｂ】
2018185522.tif 000006
【図３Ｃ】
2018185522.tif 000007
【図３Ｄ】
2018185522.tif 000008
【図４Ａ】
2018185522.tif 000009
【図４Ｂ】
2018185522.tif 000010
【図４Ｃ】
2018185522.tif 000011
【図４Ｄ】
2018185522.tif 000012